(57)【特許請求の範囲】
【請求項１】
パネルその他の方形、長方形等の板体の周辺端面の長手方向に、係合条溝ａ、ｂを互い違いに備えたＳ形部を先端に形成した係合突条を突設すると共に、該係合突条から設定間隔をおいて小突条を突設して連結部を設け、
パネル等の連結時に、両連結部を各横断面形状において反転対称の状態に相対し、相互の小突条を相互のＳ形部の係合条溝ａ、ａに係合すると共に、相互の係合条溝ｂ、ｂに狭長板状のキープレートを嵌挿置して、パネル等を連結するように備えた、
パネル等の連結機構。
【請求項２】
狭長板の長手方向の両側縁にコ形のリブを形成し、一方のリブに近接して、係合条溝ａ、ｂを互い違いに備えたＳ形部を先端に形成した係合突条を突設すると共に、該係合突条と他方のリブの間の設定位置に小突条を突設して連結枠材を設け、
該連結枠材をパネルの側辺に、その両端のリブにパネルの金属外板の側縁を巻付け加工して固着して連結部付パネルを設け、
パネルの連結時に、両パネルの連結部を各横断面形状において反転対称の状態に相対し、相互の小突条を相互のＳ形部の係合条溝ａ、ａに係合すると共に、相互の係合条溝ｂ、ｂに狭長板状のキープレートを嵌挿置して、両パネルを連結するように備えた、
請求項１のパネル等の連結機構。
【発明の詳細な説明】
【０００１】
【発明の属する技術分野】
本発明は、パネルその他の方形、長方形等の板材、例えば、プレハブ式建造物（例、倉庫、物置、作業場、冷蔵庫等。）の構築に用いる、壁、天井、床、その他の各種のパネル相互を連結する、パネル等の連結機構に係り、例えば、プレハブ式建造物を構築するためにパネル相互を連結するにつき、該パネルの周側辺に予じめ連結部を設けておくことによって、相互の連結部を１本のキープレートの嵌挿及び抜取りによって極めて簡単かつ自在に連結及び取外しできるようにした、パネル等の連結機構を提供するものである。
【０００２】
【従来技術】
従来、例えば、プレハブ式建造物を構築するにつき、各種のパネル相互を連結する場合は、必ず、両パネルの側縁に股がって固着して両パネルを連結する連結金具、締付金具等を用いていた。
それらの金具はパネル毎にその周辺に沿って複数個取付けねばならぬため手数がかかる上に、パネルの位置によっては取付けしにくい、或は取付けできない場合もあり、また、必ず、パネル内、外面つまり、壁面や天井面等に突出、露出して取付けるため邪魔になり、体裁が悪く、風雨で錆、腐蝕する等の欠点があった。  しかし乍ら、従来はパネルの側辺同志を衝合した状態で強固に連結するには上記の金具による外なかったものである。
【０００３】
【発明の目的】
そこで、本発明はパネル等の周側辺（端面）に本発明に独自な構成の連結部を予じめ備えることによって、相対した連結部間に１本のキープレートを嵌挿、抜取りするだけで、簡単強固に連結でき、また簡単に取外しができる、連結機構を開発して、上記従来の金具類を使用しないで済むようにしたものである。
【０００４】
【課題を解決する手段】
即ち、本発明は、パネルその他の方形、長方形等の板材の周辺端面の長手方向に、係合条溝ａ、ｂを互い違いに備えたＳ形部を先端に形成した係合突条を突設すると共に、該係合突条から設定間隔をおいて小突条を突設して連結部を設け、
【０００５】
パネル等の連結時に、両連結部を各横断面形状において反転対称の状態に相対し、相互の小突条を相互のＳ形部の係合条溝ａ、ａに係合すると共に、相互の係合条溝ｂ、ｂに狭長板状のキープレートを嵌挿置して、パネル等を連結するように備えた、パネル等の連結機構によって課題を解決したものである。
【０００６】
【実施例１】
本発明の実施例１を図１につき説明すると、パネル１の周辺端面の長手方向に、係合条溝ａ、ｂを互い違いに備えたＳ形部２を先端に形成した係合突条３を突設すると共に、該係合突条３から設定間隔をおいて小突条４を突設して連結部５を設け、
【０００７】
パネル１等の連結時に、両連結部５、５を各横断面形状において反転対称の状態に相対し、相互の小突条４、４を相互のＳ形部２、２の係合条溝ａ、ａに係合すると共に、相互の係合条溝ｂ、ｂに狭長板状のキープレート６を嵌挿置して、パネル等１を連結するように備えた、パネル等の連結機構である。
【０００８】
【実施例２】
なお、図２の実施例２は、図１の実施例１と、係合突条３の基部の形状が多少相違するだけで、他は同一である。
【０００９】
【実施例３】
（図３）
次に、本発明をプレハブ建造物を構築に用いるパネル、即ち、壁パネル、天井パネル、床パネル、扉パネル、窓パネル、その他（図示例は天井パネル）のパネルに実施した実施例につき説明する。
【００１０】
狭長板７の長手方向の両側縁にコ形のリブ８を形成し、一方のリブ８に近接して、係合条溝ａ、ｂを互い違いに備えたＳ形部２を先端に形成した係合突条３を突設すると共に、該係合突条３と他方のリブ８の間の設定位置に小突条４を突設して連結枠材９を設け、
【００１１】
該連結枠材９をパネル１の側辺に、その両端のリブ８、８にパネル１の金属外板１０の側縁を巻付け加工して固着して連結部５付パネル１を設け、
【００１２】
パネル１の連結時に、両パネル１、１の連結部５、５を各横断面形状において反転対称の状態に相対し、相互の小突条４、４を相互のＳ形部２、２の係合条溝ａ、ａに係合すると共に、相互の係合条溝ｂ、ｂに狭長板状のキープレート６を嵌挿置して、両パネル１、１を連結するように備えた、パネル等の連結機構である。
【００１３】
符号１１はパッキング、１２はコーキングである。
【００１４】
なお、本発明はプレハブ建造物用の各種パネルに限らず、各種の板体の周側端面に実施して、板体の連結に汎用できるものである。
【００１５】
【作用】
例えば、図１、図２、図３のように連結部付のパネル１、１の連結部５を相対し、相互の小突条４、４を相互の係合条溝ａ、ａに係合すると共に、相互の係合条溝ｂ、ｂにキープレート６を嵌挿置して両パネル１、１を連結する。
【００１６】
上記のように連結したパネル１、１は左右方向の引張り力に対して両パネル１、１の係合条溝ｂ、ｂに嵌挿置したキープレート６が強固な突っかいとなって両パネル１、１の連結が外れず、また、前後方向の力に対して両パネル１、１の係合条溝ａ、ａに各小突条４、４が係合しているためずれが生じない。
従って、前後左右方向（上下方向を除く）の力に対抗して強固な連結状態を保持する。
【００１７】
また、キープレート６を抜取れば、両パネル１、１の連結が外れる。
【００１８】
【効果】
パネル等に備えた連結部を相対し、相互のＳ形部の係合条溝にキープレートを嵌挿置するだけで、極めて簡単かつ強固にパネル等を連結できる多大の効果があり、また、キープレートを抜取るだけで極めて簡単に連結を外せる効果がある。
【００１９】
連結状態において、左右方向の引張り力に対しては各Ｓ形部の各係合条溝ｂ、ｂに嵌挿置したキープレートが突っかいとなって強固に連結を保持でき、前後方向の力に対しては各係合条溝ａ、ａに小突条が係合しているため、強固に横ずれを停止できる。
よって、前後左右方向（上下方向を除く）の力に対抗して強固な連結状態を保持できる特長がある。
【００２０】
従って、プレハブ建造物のパネルに実施した場合、現場作業で簡単強固にパネル連結組立ができる優れた利点がある。
【００２１】
パネルに限らず、各種の板体の連結に汎用し得る。
【図面の簡単な説明】
【図１】本発明パネル等の連結機構の実施例１の横断面図。
【図２】実施例２の横断面図。
【図３】連結部付パネル相互の連結に実施した実施例３の横断面図。
【図４】図３の連結枠材の正面図、平面図、及びＡ−Ａ線断面図。
【符号の説明】
ａ  Ｓ形部の係合条溝
ｂ  Ｓ形部の係合条溝
１  パネル
２  Ｓ形部
３  係合突条
４  小突条
５  連結部
６  キープレート
７  狭長板
８  リブ
９  連結枠材
１０  金属外板
１１  パッキング
１２  コーキング
【図１】
0004099685.tif 000002
【図２】
0004099685.tif 000003
【図３】
0004099685.tif 000004
【図４】
0004099685.tif 000005